(57)【要約】【課題】使用目的に応じたユニットを使い分けることで、使い勝手のよい装置とすることができ、持ち運びにも安全性を更に高めた記録再生装置を提供する。【解決手段】カートリッジに収納された記録媒体の記録再生装置であって、前記カートリッジに設けられた接続端子と接続するためアダプタを備え、且つ、ホスト機器との間でデータの読み出し／書き込みをインターフェースを備えた第１のユニットと、前記カートリッジを収納する為の第２のユニットを備えた記録再生装置を提供する。【選択図】図４
2007241524.tif 000002
【特許請求の範囲】
【請求項１】
カートリッジに収納された記録媒体の記録再生装置であって、前記カートリッジに設けられた接続端子と接続するためのアダプタを備え、且つ、ホスト機器との間でデータの読み出し／書き込みを行うインターフェースを備えた第１のユニットと、前記カートリッジを収納する為の第２のユニットを備えたことを特徴とする記録再生装置。
【請求項２】
前記記録媒体がハードディスク装置であることを特徴とする請求項１に記載の記録再生装置。
【請求項３】
前記インターフェースがＵＳＢであることを特徴とする請求項１に記載の記録再生装置。
【請求項４】
前記インターフェースがＩＥＥＥ１３９４であることを特徴とする請求項１に記載の記録再生装置。
【請求項５】
前記第２のユニットが前記カートリッジの５０％以上を覆うことを特徴とする請求項１に記載の記録再生装置。
【請求項６】
前記第２のユニットが前記カートリッジの８０％以上を覆うことを特徴とする請求項１に記載の記録再生装置。
【発明の詳細な説明】
【技術分野】
【０００１】
本発明は、記録再生装置に係り、小型で大容量のハードディスクユニットを簡易にコンピュータに接続可能できる記録再生装置に関する。
【背景技術】
【０００２】
パーソナルコンピュータ（ＰＣ）の普及に伴い、映像や音楽、写真などの大容量のデジタルデータを簡単に扱えるようになり、このようなデジタルデータを保存、或いは、他のＰＣなどで再生を行う為、ＤＶＤやハードディスクなどの外部記憶装置が広く用いられるようになった。
【０００３】
ＤＶＤのメリットとしては、大半のＰＣが標準で搭載するＤＶＤドライブで再生できる為、ＤＶＤにデータを記録して、移動先で利用するという使い方ができることがあげられる。ただ、ＤＶＤの記憶容量は、１枚あたり４．７ＧＢと制限があるため、大量のデータを持ち運ぶ為に、小型のハードディスク装置が用いられている。この種のハードディスクは、筐体内に１〜２．５インチ程度のハードディスクドライブを内蔵し、ＵＳＢやＩＥＥＥ１３９４のインターフェースを介してＰＣに接続し利用されている。
【０００４】
このようなＰＣに接続する方法としては、例えば特許文献１に示されているように、クレードルを用いて、もっと簡易に接続する方法などが提案されている。また、このように持ち運びを想定した小型のハードディスクとして、ｉＶＤＲと呼ばれる規格が提案されている。
【０００５】
【特許文献１】特開２００４−２１３８３９
【発明の開示】
【発明が解決しようとする課題】
【０００６】
ところで、ハードディスクは衝撃に対して弱いことは従来から知られており、落下などによって、ヘッドと記録媒体が接触し、装置が破壊されるという懸念があるため、携帯して持ち運ぶことを想定している、これらの小型ハードディスクは、衝撃を吸収する部材などでハードディスクドライブを筐体内に固定する等で、装置が破壊されることを防ぐ構造を採用しているが、規定以上の衝撃を受けた場合に破壊されてしまうこともあり、また、インターフェースケーブルや必要に応じて電源装置を持ち運ぶ必要もあり、移動時に鞄に入れて持ち運ぶ際に専用のケースに収納するなどして持ち運ぶことが多い。
このため、持ち運ぶことを想定した従来の小型のハードディスク装置では、移動の際の使い勝手と、ＰＣに接続して使用する場合の使い勝手の両立が良いというものではなかった。
【０００７】
本発明の目的は、このような移動時と接続時の使い勝手を向上して記録再生装置を提供することにある。
【課題を解決するための手段】
【０００８】
即ち、本発明の第１の態様によれば、カートリッジに収納された記録媒体の記録再生装置であって、前記カートリッジに設けられた接続端子と接続するためのアダプタを備え、且つ、ホスト機器との間でデータの読み出し／書き込みを行うインターフェースを備えた第１のユニットと、前記カートリッジを収納する為の第２のユニットを備えた記録再生装置が提供される。第１のユニットが記録媒体の接続端子と、ホスト機器となるＰＣのインターフェースを備えているため、少なくとも第１のユニットがあれば、記録媒体の記録再生が可能になる。そして第２のユニットに記録媒体を収納し、第１のユニットと合体させることで、通常の小型のハードディスクと同様の使い勝手を実現できる。第２のユニットは記録媒体の収納ユニットとなっているので、持ち運びの際は第２のユニットに記録媒体を収納して、第２のユニットのみを持ち運べば、移動もスマートに行うことが出来る。また、第２のユニットは持ち運びに機能を強化して、例えば耐衝撃性や耐熱性、防塵性を高める構造を用いれば、携帯時の安全性を更に高めることが可能になる。このように第１のユニットと第２のユニットで筐体を構成することで、使用目的に応じたユニットを使い分け、使い勝手のよい装置とすることができる。
【０００９】
また、本発明の第２の態様によれば、さらに記録媒体がハードディスク装置である記録再生装置が提供される。記録媒体が、例えばｉＶＤＲ等の新しいインターフェースのハードディスクであっても、簡易にＰＣ等に接続して利用することが可能になる。
【００１０】
また、本発明の第３の態様によれば、さらにインターフェースがＵＳＢ、或いは、ＩＥＥＥ１３９４である記録再生装置が提供される。インターフェースにＵＳＢ、或いは、ＩＥＥＥ１３９４を用いることで、ＰＣ等への接続を容易に行うことができる。
【００１１】
また、本発明の第４の態様によれば、さらに第２のユニットが前記カートリッジの５０％以上を覆う記録再生装置が提供される。第２のユニットは、持ち運びの際の記録媒体を収納するケースを兼用する為、耐衝撃性などを考慮して、少なくとも記録媒体の５０％を覆う必要がある。また、記録媒体の８０％以上を覆えば、耐衝撃性を更に高めることができる。
【発明の効果】
【００１２】
本発明によれば、使用目的に応じたユニットを使い分けることで、使い勝手のよい装置とすることができ、持ち運びにも安全性を更に高めた記録再生装置を提供することができる。
【発明を実施するための最良の形態】
【００１３】
本発明の実施の形態を、図を用いて説明するが、本発明はこれに限定されるものではない。
【実施例】
【００１４】
（実施例）
本発明における記録媒体の構成を図１に示す。記録媒体１はｉＶＤＲ規格に準拠する形状をしており、記録媒体１を構成しているカートリッジ２内にはシリアルＡＴＡ接続の１．８インチのハードディスクドライブが内蔵されており、カートリッジ２には、接続端子３が設けられている。また、カートリッジ２の表面には、位置決め用の凹部４が形成されている。
【００１５】
図２は本発明における第１のユニットであり、第１のユニット５は、カートリッジ２に設けられた接続端子３に接続するためのアダプタ６と、ホスト機器と接続するためのインターフェースであるＵＳＢ端子７を備える。また、コントロール部８には、アダプタを介して入出力された信号をＵＳＢで入出力可能な信号に変換するための不図示の変換回路を備えている。
【００１６】
図３（ａ）は本発明における第２のユニットとその蓋ユニットであり、第２のユニット９は、カートリッジ２を収納する為のカートリッジ収納部１０を備える。図３（ｂ）はカートリッジ２を第２のユニット９に収納した状態を示す。第２のユニット９はカートリッジ２の８０％以上の部分を覆うよう、カートリッジ収納部１０が設けられている。そして、図３（ｃ）に示すように、カートリッジ２を第２のユニット９に収納し、更に、蓋ユニット１１でカートリッジ２の露出部を覆うことで、カートリッジ２を完全に覆う収納ケースとして使用する。
【００１７】
図４は本発明におけるＰＣとの接続状態を示す。第１のユニット５と第２のユニット９を組み合わせることで、記録再生ユニット１２を構成し、第１のユニットに設けたＵＳＢ端子７を利用してＰＣ１３に接続され、記録媒体１に対するアクセスが可能になる。また、ＰＣとの接続は、図５に示すように第１のユニット５にカートリッジ２を挿入しただけの形態でもアクセスすることができる。
【図面の簡単な説明】
【００１８】
【図１】本発明における記録媒体の形状を示す模式図である
【図２】本発明における第１のユニットの形状を示す模式図である
【図３】本発明における第２のユニットの形状を示す模式図である
【図４】本発明における第１のユニットと第２のユニットを組み合わせて記録再生を行う場合の形状を示す模式図である
【図５】本発明における第１のユニットにカートリッジを挿入した状態で記録再生を行う場合の形状を示す模式図である
【符号の説明】
【００１９】
１    記録媒体
２    カートリッジ
３    接続端子
４    位置決め用凹部
５    第１のユニット
６    アダプタ
７    ＵＳＢ端子
８    コントロール部
９    第２のユニット
１０  カートリッジ収納部
１１  蓋ユニット
１２  記録再生ユニット
１３  ＰＣ
【図１】
2007241524.tif 000003
【図２】
2007241524.tif 000004
【図３】
2007241524.tif 000005
【図４】
2007241524.tif 000006
【図５】
2007241524.tif 000007